(57)【要約】  隠し広告方法、装置およびシステムが提供される。方法、装置およびシステムは、ビデオコンテンツ内の、オーディオ、ビジュアル製品表示およびビジュアルサービス表示の少なくとも１つをテキストに変換するステップと、記憶された広告コンテンツに対する識別子が、上記テキストに関連付けられているかどうかを決定するためにデータベースを検索するステップと、記憶された広告コンテンツに対する識別子が上記テキストに関連付けられている場合は、表示のために、上記関連付けられ記憶された広告コンテンツの通信を要求するステップと、を含む
2016533673.tif 000002
【特許請求の範囲】
【請求項１】
広告を配信するための方法であって、
ビデオコンテンツ内の、オーディオ、ビジュアル製品表示およびビジュアルサービス表示の少なくとも１つをテキストに変換するステップと、
記憶された広告コンテンツに対する識別子が、前記テキストに関連付けられているかどうかを決定するためにデータベースを検索するステップと、
記憶された広告コンテンツに対する識別子が前記テキストに関連付けられている場合は、表示のために、前記関連付けられ記憶された広告コンテンツの通信を要求するステップと、  を含む、前記方法。
【請求項２】
前記テキストについてのタイムスタンプ情報を取得する、請求項１に記載の方法。
【請求項３】
ビデオコンテンツ内の、オーディオ、ビジュアル製品表示およびビジュアルサービス表示の少なくとも１つの表示と同時または相対的に、表示のために前記関連付けられ記憶された広告コンテンツの通信を要求するステップを含む、請求項２に記載の方法。
【請求項４】
前記タイムスタンプ情報は、前記ビデオコンテンツを再生するビデオプレイヤから取得される、請求項２に記載の方法。
【請求項５】
テキストに関連付けられた、それぞれのオーディオ、それぞれのビジュアル製品表示およびそれぞれのビジュアルサービス表示のうちの少なくとも１つが前記ビデオコンテンツ内に提示されているときに、前記データベースは前記テキストに対して検索される、請求項２に記載の方法。
【請求項６】
記憶された広告コンテンツに対する識別子が、前記ビデオコンテンツ内の、特定のオーディオまたは製品もしくはサービス表現に関連するテキストに関連付けられていない場合に、データベースを検索して、記憶された広告コンテンツに対する識別子が、前記ビデオコンテンツ内の他のオーディオまたは製品もしくはサービス表現に関連するテキストに関連付けられているかどうか決定することを含む、請求項１に記載の方法。
【請求項７】
クローズドキャプション情報を使用して、前記ビデオコンテンツ内の、オーディオまたは製品もしくはサービス表現をテキストに変換することを含む、請求項１に記載の方法。
【請求項８】
インターネットソースから前記クローズドキャプション情報を取得することを含む、請求項７に記載の方法。
【請求項９】
前記クローズドキャプション情報は前記ビデオコンテンツに含まれる、請求項７に記載の方法。
【請求項１０】
前記テキストは、ラインテキストフォーマットによるラインを含む、請求項１に記載の方法。
【請求項１１】
隠し広告のための装置であって、
ビデオコンテンツ内の、オーディオ、ビジュアル製品表現およびビジュアルサービス表現の少なくとも１つをテキストに変換するためのラインマネージャと、
記憶された広告コンテンツに対する識別子が、前記テキストに関連付けられているかどうかを決定するためにデータベースを検索し、記憶された広告コンテンツに対する識別子が前記テキストに関連付けられている場合は、表示のために、前記関連付けられ記憶された広告コンテンツの通信を要求するための広告マネージャと、
を含む、前記装置。
【請求項１２】
前記ビデオコンテンツからキャプション情報を抽出するためのキャプションファイル抽出器を含む、請求項１１に記載の装置。
【請求項１３】
異なる種類のキャプションフォーマットをテキストに変換するためのキャプション変換器を含む、請求項１２に記載の装置。
【請求項１４】
前記ビデオコンテンツの前記テキストに対するタイミング情報を獲得するためのライン同期器を含む、請求項１１に記載の装置。
【請求項１５】
前記広告マネージャは、記憶された広告コンテンツに対する識別子が前記テキストに関連付けられているかどうか決定するためのラインマッチャーを含む、請求項１１に記載の装置。
【請求項１６】
広告主が広告コンテンツを操作および制御することを可能にするための広告主ポータルを含む、請求項１１に記載の装置。
【請求項１７】
広告コンテンツを記憶するためのデータベースを含む、請求項１１に記載の装置。
【請求項１８】
隠し広告のためのシステムであって、
隠し広告コンテンツを含むビデオコンテンツを提供するためのコンテンツプロバイダと、
少なくともビデオコンテンツを表示するためのディスプレイと、
隠し広告コンテンツを記憶するためのデータベースと、
ビデオコンテンツ内の、オーディオ、ビジュアル製品表現およびビジュアルサービス表現の少なくとも１つをテキストに変換するためのラインマネージャと、
記憶された隠し広告コンテンツに対する識別子が、前記テキストに関連付けられているかどうかを決定するためにデータベースを検索し、記憶された隠し広告コンテンツに対する識別子が前記テキストに関連付けられている場合は、表示のために、前記関連付けられ記憶された広告コンテンツの通信を要求するための広告マネージャと、
を有する装置と、
を備えた、前記システム。
【請求項１９】
前記ラインマネージャは、インターネットソースからキャプション情報を取得するよう構成された、請求項１８に記載のシステム。
【請求項２０】
前記マネージャは、
キャプションファイルが好ましいファイルフォーマットであるかどうかを決定し、
前記キャプションファイルが前記好ましいファイルフォーマットでないことが決定された場合に、前記キャプションファイルを変換して、テキストフォーマットを生成するように構成された、請求項１８に記載のシステム。
【請求項２１】
隠し広告のための装置であって、
制御プログラムおよび命令、およびメディアコンテンツを記憶するためのメモリと、
前記制御プログラムおよび命令を実行するためのプロセッサーと、
を備え、
前記装置は、
前記ビデオコンテンツ内の、オーディオ、ビジュアル製品表現およびビジュアルサービス表現の少なくとも１つを隠し、
データベースを検索して、記憶された広告コンテンツのための識別子が前記テキストに関連付けられているか否かを決定し、
記憶された広告コンテンツが前記テキストに関連付けられている場合に、表示のために、前記関連付けられた記憶された広告コンテンツの通信を要求する、
ように構成された、前記装置。
【発明の詳細な説明】
【技術分野】
【０００１】
本原理は、広告コンテンツの配信に関し、より詳細にはビデオコンテンツおよびそれぞれの隠し広告コンテンツの配信およびプレゼンテーションのための方法、装置、およびシステムに関する。
【背景技術】
【０００２】
埋め込み広告としても知られている隠し広告は、別のメディアまたはプログラムの内部に、製品またはブランドなどの宣伝文句を含めることである。通常は隠し広告は、もとのプログラム内に設計される。時にはそれは後の時点で追加、または表示領域内にマージされ得る。埋め込み広告は、メディア（ビデオに限定されない）内の広告の形態であるが、それは、メディアコンテンツの自然な部分でありそれが広告であることを視聴者に知らせる通常のより直接的なやり方ではないという前提のもとにうまく機能する。
【０００３】
それは、何かを広告する直接の方法ではないが、広告コンテンツを配信する効率的な方法のために役立つ。製品およびサービスを広告するために、テレビ番組および映画の中での隠し広告の増加傾向がある。今では多くの会社は、彼等の製品をメディアコンテンツ（映画、テレビ番組など）での呼び物とするように、映画制作者に代金を支払っている。コンテンツ制作者は、制作における予算を節約するため、および財政的リスクを軽減するために隠し広告を用いることを好む。伝統的な顕在的な広告と比べて隠し広告は、広告が番組内に統合されることを意味する。隠し広告は様々なタイプの広告を伴い、しばしば製品ロゴ、俳優によって引用される製品、およびシーン内の製品の配置を含む。いくつかの例は、映画の中で示される製品の広告掲示板、何度もブランドの名前を挙げるテレビ番組もしくは映画の中の登場人物、および／または製品を手に持っているもしくは実際に使用しているのが示されるテレビ番組内の登場人物を含む。
【０００４】
隠し広告に対する課題は、どのように広告をよく目立たせ、メディアコンテンツを見ている人達によって注目されるようにするかということである。第１に隠し広告は、数秒間だけ表示することができ、広告はメディアコンテンツを遮ることなく見られるべきである。第２に隠し広告のコンテンツは、俳優の台詞によって引用されているだけであるなど、限られたプレゼンテーションモードにより、十分に内容豊かではない。
【０００５】
「Ｖｉｄｅｏ  ｃｏｎｔｅｘｔｕａｌ  ａｄｖｅｒｔｉｓｅｍｅｎｔｓ  ｕｓｉｎｇ  ｓｐｅｅｃｈ  ｒｅｃｏｇｎｉｔｉｏｎ」という名称の米国特許出願公開第２００９／０１９９２３５号は、ビデオクリップのオーディオ部分を示す音声認識データに基づく広告の選択を教示している。ビデオ再生時に音声認識技術を用いることは、ジム、レストラン、カフェ、さらには自宅などの雑音の多い環境での課題に直面することになる。
【発明の概要】
【０００６】
本発明の実施形態は、隠し広告のための方法、装置、およびシステムをもたらすことによって、従来技術の欠点に対処する。
【０００７】
本発明の一実施形態では、隠し広告のための方法は、ビデオコンテンツ内のオーディオ、ビジュアル製品表示およびビジュアルサービス表示の少なくとも１つをテキストに変換するステップと、記憶された広告コンテンツに対する識別子が、上記テキストに関連付けられているかどうかを決定するためにデータベースを検索するステップと、記憶された広告コンテンツに対する識別子が上記テキストに関連付けられている場合は、表示のために、上記関連付けられ記憶された広告コンテンツの通信を要求するステップとを含む。方法は、表示のために上記関連付けられ記憶された広告コンテンツを配信し、ディスプレイ上に上記関連付けられ記憶された広告を表示するステップをさらに含むことができる。
【０００８】
本発明の代替実施形態では、隠し広告のための装置は、ビデオコンテンツ内のオーディオ、ビジュアル製品表示およびビジュアルサービス表示の少なくとも１つをテキストに変換するためのラインマネージャと、記憶された広告コンテンツに対する識別子が、上記テキストに関連付けられているかどうかを決定するためにデータベースを検索し、記憶された広告コンテンツに対する識別子が上記テキストに関連付けられている場合は、表示のために、上記関連付けられ記憶された広告コンテンツの通信を要求するための広告マネージャとを含む。
【０００９】
本発明の代替実施形態では、隠し広告のためのシステムは、広告コンテンツを含むビデオコンテンツをもたらすためのコンテンツプロバイダと、ビデオコンテンツを表示するためのディスプレイと、広告コンテンツを記憶するためのデータベースと、隠し広告のための装置とを含み、上記装置は、ビデオコンテンツ内のオーディオ、ビジュアル製品表示およびビジュアルサービス表示の少なくとも１つをテキストに変換するためのラインマネージャと、記憶された広告コンテンツに対する識別子が、上記テキストに関連付けられているかどうかを決定するために上記データベースを検索し、記憶された広告コンテンツに対する識別子が上記テキストに関連付けられている場合は、表示のために、上記関連付けられ記憶された広告コンテンツの通信を要求するための広告マネージャとを含む。上記システムは、上記ディスプレイ上の表示のために、上記関連付けられ記憶された広告コンテンツを通信するための通信サービスをさらに含むことができる。
【図面の簡単な説明】
【００１０】
本発明の教示は、添付の図面に関連して以下の詳細な説明を考察することにより、容易に理解することができる。
【図１】本発明の実施形態による隠し広告のためのシステムの高水準なブロック図である。
【図２】本発明の実施形態による広告データベースの例示的テーブル構造を示す図である。
【図３】本発明の実施形態による隠し広告のための方法のフロー図である。
【図４】本発明の代替実施形態による隠し広告のためのシステムの高水準なブロック図である。
【図５】本発明の実施形態による隠し広告のための装置の高水準なブロック図である。
【発明を実施するための形態】
【００１１】
図面は、本発明の概念を例示するためのものであり、必ずしも本発明を例示するための唯一の可能な構成ではないことが理解されるべきである。理解を容易にするために、可能な場合は、図に共通な同一の要素を表すために、同一の参照番号が使用されている。
【００１２】
有利なことに本発明の実施形態は、隠し広告のための方法、装置、およびシステムをもたらす。本発明について主として、テレビのディスプレイに表示されているビデオコンテンツにおける隠し広告との関連において述べられるが、本発明の特定の実施形態は、本発明の範囲を限定するものとして取り扱われるべきではない。当業者には、本発明の概念は有利なことに任意のディスプレイに表示される任意のコンテンツに応用され得ることが、本発明の教示によって理解され、知識が与えられるであろう。
【００１３】
図に示される様々な要素の機能は、専用ハードウェア、ならびに適切なソフトウェアと関連してソフトウェアを実行することができるハードウェアの使用を通じてもたらされ得る。プロセッサーによってもたらされるときは機能は、単一の専用プロセッサーにより、単一の共有プロセッサーにより、またはそのいくつかが共有され得る複数の個別のプロセッサーによりもたらされ得る。さらに「プロセッサー」または「コントローラ」という用語の明示的な使用は、ソフトウェアを実行することができるハードウェアを排他的に指すものと解釈されるべきではなく、暗黙に、非限定的にディジタル信号プロセッサー（「ＤＳＰ」）ハードウェア、ソフトウェアを記憶するためのリードオンリメモリ（「ＲＯＭ」）、ランダムアクセスメモリ（「ＲＡＭ」）、および不揮発性ストレージを含むことができる。さらに本明細書において本発明の原理、態様、および実施形態、ならびにそれらの特定の例を記載したすべての記述は、それらの構造的および機能的に等価なものの両方を包含することが意図される。また、このような等価なものは、現在知られている等価なもの、および将来開発される等価なもの（すなわち構造に関係なく、同じ機能を行う任意の開発された要素）の両方を含むことが意図される。
【００１４】
したがって例えば当業者には、本明細書に示されるブロック図は、本発明の原理を実施した、説明に役立つシステム構成要素および／または回路の概念的な図を表すことが理解されるであろう。同様にいずれのフローチャート、フロー図、状態遷移図、擬似コードなどは、実質的にコンピュータ可読媒体内に表され得る様々なプロセスを表し、それに従ってコンピュータまたはプロセッサーにより、そのようなコンピュータまたはプロセッサーが明示的に示されているかどうかに関わらず、実行されることが理解されるであろう。
【００１５】
さらに添付の図面に示される、構成するシステム構成要素および方法のいくつかはソフトウェアにおいて実施され得るので、システム構成要素またはプロセス機能ブロックの間の実際の接続は、本原理がプログラムされるやり方に応じて異なり得る。本明細書における教示を所与として当業者は、本原理のこれらおよび同様な実装形態または構成を企図することができるであろう。
【００１６】
本明細書における、本発明の「一実施形態」または「実施形態」ならびにそれらの他の変形への言及は、実施形態に関連して述べられる特定の機能、構造、特徴その他が、本発明の少なくとも１つの実施形態に含まれることを意味する。したがって本明細書の全体にわたって様々な場所で現れる「一実施形態では」または「実施形態では」という語句およびいずれの他の変形の出現は、必ずしもすべて同じ実施形態を指すものではない。
【００１７】
本明細書における記述では、隠し広告コンテンツ、隠し広告、広告コンテンツなどは置き換え可能であり、広告されるべき製品またはサービスに関連して表示されることを目的とした広告コンテンツまたは広告を指すことが留意されるべきである。また本明細書における記述では、ビデオコンテンツは、任意のソースからのオーディオビジュアルコンテンツなどの、少なくともビデオ構成要素を含んだ任意のコンテンツを包含するものと解釈されるべきであることが留意されるべきである。
【００１８】
図１は、本発明の実施形態による隠し広告のためのシステムの高水準なブロック図を示す。図１のシステム１０は実例として、コンテンツプロバイダ１２と、広告主１３と、隠し広告を含むビデオコンテンツ１４と、およびキャプションファイル抽出器１８、キャプション変換器２０およびライン同期器２２を含むラインマネージャ１６とを備える。図１のシステム１０はさらに実例として、サービス３４（実例としてウェブサービス）、広告サービス３６（実例としてウェブ広告サービス）、広告データベース３８、および隠し広告マネージャ２６を含む、広告マネージャ２４を備える。図１の隠し広告マネージャ２６は実例として、ラインマッチャー２８および広告ポータル３０を備える。図１のシステム１０の実施形態では、コンテンツプロバイダ１２は、埋め込まれた隠し広告を含むことができるビデオコンテンツ１４を所有する。ビデオコンテンツ１４は、例えばインターネット（例えばＮＥＴＦＬＩＸ（登録商標）、または任意の他のストリーミングビデオサービス）、テレビ放送または他の放送サービス、ＤＶＤまたは任意の他のコンテンツ配信機構を通じて、クライアント側において再生することができる。いずれにしてもエンドユーザまたはクライアント側は、ストリーミングされたビデオコンテンツを表示および視聴することができる。図１の実施形態では、ビデオコンテンツ１４は実例として、ディスプレイ１５およびラインマネージャ１６に二股に分岐されるが、本発明の代替実施形態ではラインマネージャ１６は、ビデオストリームをディスプレイ１５から得ることができる。
【００１９】
本発明の実施形態によれば、ビデオコンテンツ内の会話などのオーディオ、およびビデオコンテンツ内に示された掲示板広告もしくは製品上のブランド名またはサービスに対する広告などのビジュアル製品またはサービス表示は、テキストに変換される。例えば本発明の一実施形態では、隠し広告を含むビデオコンテンツ１４は、図１のラインマネージャ１６などのラインマネージャにもたらされる。本発明のラインマネージャは、ブランドのオーディオおよびビジュアル表示をテキストに、本発明の一実施形態ではインターネットソースからまたはコンテンツプロバイダ１２もしくは広告主１３からこのようなテキスト情報を取り出すことによって変換する。以下でより詳しく述べられる本発明の代替実施形態では、ラインマネージャ１６は、ビデオコンテンツと共に含まれるクローズドキャプショニング情報、またはインターネットなどの代替ソースから獲得されるクローズドキャプショニング情報を用いることによって、ビデオコンテンツ内のブランドのオーディオおよびビジュアル表示をテキストに変換する。本発明のこのような実施形態では、キャプションファイル抽出器１８は、このような情報をビデオコンテンツから抽出し、キャプション変換器２０は、いろいろな種類のキャプションフォーマットをテキストに変換する（以下でより詳しく述べられる）。
【００２０】
戻って図１を参照すると、変換されたテキストは隠し広告マネージャ２６に通信され、これは隠し広告データベース３８を検索して、記憶された広告コンテンツに対する識別子がテキストに関連付けられているかどうかを決定する。例えば本発明の一実施形態では、広告マネージャ２６のラインマッチャー２８は、要求を通信サービス３４を介して受け取り、これは例えばラインマネージャ１６を介してクライアント側からラインマッチング要求を受け取り、広告データベース３８を検索して記憶された広告コンテンツに対する識別子がビデオコンテンツ内のテキストに関連付けられているかどうかを決定するために、ラインマッチャー２８を実装することができる。図１の実施形態では、通信サービス３４は実例としてウェブサービスとして示されるが、本発明の代替実施形態では他の通信サービスが実装され得る。
【００２１】
すなわち本発明の実施形態では、隠し広告は、それぞれの記憶された広告がそれらのために広告することを目的とする製品またはサービスを識別する、ビデオコンテンツ内のテキストに関するまたはそれに関連付けられた識別子を用いて、広告データベース３８に記憶される。例えば本発明の一実施形態では、それぞれの記憶された広告を識別するためにテキスト文字列を用いることができ、それにより、テキスト文字列がビデオコンテンツ内で再生／実行されたと識別されたときは、記憶された広告は、例えばビデオコンテンツが表示されているビデオデバイスの指定された部分上に、または本発明の代替実施形態では、代替画面またはタブレットもしくはモバイル通信デバイスなどのディスプレイデバイス上での、主ディスプレイ上のそれぞれのビデオコンテンツの表示と同時のまたはある相対的な時点における、クライアントサイトでの表示のために通信され得る。すなわち記憶された広告コンテンツに対する識別子が、再生されたビデオコンテンツ内のコンテンツに関連付けられたテキストを表す場合は、関連付けられ記憶された広告コンテンツの通信が、表示のために要求される。より具体的にはウェブサービス３６は隠し広告を、ディスプレイ、例えば図１のクライアント側のビデオディスプレイ１５に配信する。例えばおよび図１の実施形態では、隠し広告は主ディスプレイ１５の一部分に表示される。図１の実施形態に示されるように、ウェブサービス３６は広告データベース３８と通信する。
【００２２】
図１の実施形態などの本発明の実施形態では、広告マネージャ２４の広告主ポータル３０は、広告主１３が、特定のビデオコンテンツに対する関連した隠し広告を管理することを可能にする。本発明の一実施形態では広告主ポータル３０は、ほとんどのブラウザに準拠したＨＴＭＬバージョンに基づくウェブポータルとすることができる。広告主ポータル３０を用いて広告主１３は、隠し広告価値（ｃｏｎｖｅｒｔ  ａｄｖｕｌｅｒｔｉｓｈｉｎｇ  ｖａｌｕｅ）を有するビデオコンテンツ内のラインまたはテキストの場所を見つけ、ビデオ内のラインによってインデックス付けされた関連した隠し広告を変更、削除、または付加することができる。
【００２３】
本発明の実施形態では、ビデオコンテンツのテキストに対するタイミング情報を獲得するために、図１のライン同期器２２などのライン同期器が実装される。すなわち本発明のライン同期器は、現在はテキストに変換されている、ビデオコンテンツ内のオーディオおよびビジュアル製品またはサービス表示が、ビデオコンテンツ内のどこで生じたかを決定するために実装される。このような情報は、テキストによって表されるビデオコンテンツ内のオーディオおよびビジュアル製品またはサービス表示と同時のまたはそれと相対的な時点における、変換されたテキストに関連付けられた隠し広告の表示のために通信することが望ましい本発明の実施形態において用いられる。
【００２４】
上述のように本発明の実施形態は、ビデオコンテンツのクローズドキャプション機能をうまく利用する。すなわちビデオコンテンツ内のキャプションは、オープンまたはクローズドのいずれかである。クローズドキャプションは、ビデオコンテンツに追加された価値（ｖａｌｕｅ）であり、通常はエンド視聴者／ユーザの要求によって視聴されるように任意選択である。オープンキャプションは、ビデオコンテンツの一体部分であり、ビデオフレームから抽出することは難しい。放送、ＤＶＤ、ウェブメディアプレーヤ、およびビデオ共有サイトのためのキャプショニングをサポートするための、多くのいろいろな種類のキャプションファイルフォーマットが存在する。例えば一般に用いられるキャプションファイルフォーマットはＳＲＴ；Ｗｉｎｄｏｗｓ  Ｍｅｄｉａビデオまたはオーディオのための、ＳＡＭＩ（Ｓｙｎｃｈｒｏｎｉｚｅｄ  Ａｃｃｅｓｓｉｂｌｅ  Ｍｅｄｉａ  Ｉｎｔｅｒｃｈａｎｇｅ）またはＳＭＩキャプションである。他のキャプションフォーマットは、ＤＶＤ  Ｓｔｕｄｉｏ  Ｐｒｏ用のＤＶＤサブタイトルのＰＡＬタイムコードバージョン、ＹｏｕＴｕｂｅ（登録商標）のためのＳｕｂｖｉｅｗｅｒの略語であるＳＢＶキャプションフォーマット、ＱｕｉｃｋＴｉｍｅビデオまたはオーディオによってＱｕｉｃｋＴｉｍｅテキストトラックキャプションをどのように再生するかをＱｕｉｃｋＴｉｍｅプレーヤに指示するためのＳＭＬフォーマット、およびＨＤＴＶ用のｂｂｔｖフォーマットを含む。ビデオコンテンツプロバイダはキャプションファイルをもたらすことができ、さらにいくつかの専門的なウェブサイトもキャプションファイルサービスをもたらす。エンドユーザ／視聴者はまた、彼等自身でキャプションファイルを作製し、アップロードすることができる。本発明の代替実施形態では、本発明のシステムにラインごとのテキスト情報をもたらすことができる。
【００２５】
本発明の一実施形態では、エンドユーザ／視聴者側においてラインマネージャ１６は、ユーザのコンピュータシステム、またはタブレット、またはセットトップボックス、またはストリーミングビデオの能力があり処理およびメモリ能力を有する他のコンピューティングデバイスによって維持され実行される。このような実施形態では、および図１に示されるように、ラインマネージャ１６は、キャプションファイル抽出器１８、キャプション変換器２０、およびライン同期器２２を含む。図１のシステム１０の一実施形態では、ビデオが再生しているときにキャプションファイル抽出器１８は、ビデオファイルをリアルタイムで分析し、クローズドキャプションデータから、独立したキャプションファイルを生成する。本発明の代替実施形態では、ビデオがキャプションデータをもたない場合は、キャプションファイル抽出器１８は、ビデオコンテンツ用のキャプションデータをもたらすウェブサイトにアクセスすることによって、キャプションファイルを取得する。前述のように、．ＳＲＴ、．ＸＭＬ、．ＳＭＬ、ＳＢＶ（すなわちＹｏｕＴｕｂｅからのキャプション）などの、多くの種類のキャプションフォーマットが存在する。図１のシステム１０のキャプション変換器２０は、いろいろな種類のフォーマットをテキストに、および一実施形態ではラインごとのテキストフォーマットに変換する。この変換は、ライン同期器２２およびラインマッチングのための統一されたインターフェースをもたらす。例として本発明の一実施形態では、最終のキャプションテキストフォーマットは、以下に列挙された情報を含む。
＜ライン番号＞＜開始時間＞＜終了時間＞
＜ライン番号＞＜ライン＞
このキャプションファイルはテキスト、およびビデオのタイミング情報を含む。例えば本発明の一実施形態ではキャプションファイルは、以下のフォーマットを備えることができる。
１．００：００：０２：０１  ００：００：０５：５０
２．こんにちは、私は今日はディズニーに行きます。
３．００：００：０５：５０  ００：００：０９：５０
４．この車は格好いい。
【００２６】
本発明の一実施形態ではライン同期器２２は、メディアプレーヤのインターフェースにアクセスし、プレーヤの状態を定期的に「探る」ことによって、表示されているビデオのタイムスタンプを取得することができる。次いでライン同期器２２は、取得したタイムスタンプを用いて、キャプションファイルのテキストまたはテキストのラインを、ビデオコンテンツと突き合わせることができる。本発明の一実施形態ではメディアプレーヤが停止されたときは、ライン同期器２２は、メディアプレーヤが再生を再開するまで、探ることを停止する。
【００２７】
図１のシステム１０に示されるように、広告マネージャ２４は、クライアント側において２つのウェブサービスインターフェース３４および３６を含む。図１のシステム１０では、一方のウェブサービス３４は、ラインマッチャー２８とインターフェースで接続し、他方のウェブサービス３６は、クライアントへの隠し広告の配信のためであり、少なくとも隠し広告データを記憶する広告データベース３８と通信する。広告マネージャ２４はさらに隠し広告マネージャ２６を含み、これはラインマッチャー２８および広告主ポータル３０を含む。広告マネージャ２４の広告主ポータル３０は、広告主１３が、特定のビデオコンテンツに対する関連した隠し広告を管理することを可能にする。本発明の一実施形態では広告主ポータル３０は、ブラウザのほとんどに準拠したＨＴＭＬバージョンに基づくウェブポータルとすることができる。広告主ポータル３０を用いて広告主１３は、隠し広告価値を有するビデオコンテンツ内のラインまたはテキストの場所を見つけ、ビデオ内のラインによってインデックス付けされた関連した隠し広告を変更、削除、または付加することができる。例えばウェブサービス３４は、クライアント側からラインマッチング要求を受け取り、ラインマッチャー２８を実装して、テキストのラインを広告データベース３８内の関連のある広告と突き合わせることができる。本発明の実施形態によれば、広告データベース３８内の関連のある広告を見出すために、任意のデータベース照会アルゴリズムを用いることができる。その後、関連のある広告の場所が見つけられると広告サービス３６は、マッチした広告をクライアントに配信することができる。すなわち広告サービス３６は、マッチした広告（Ａｄ１、Ａｄ２、Ａｄ３など）をユーザのディスプレイデバイス１５に配信することができる。図１の実施形態では広告サービス３６はウェブ広告サービスとして示されるが、当業者には、本発明の代替実施形態では代替の通信サービスが実装され得ることが理解されるであろう。
【００２８】
図１のシステム１０では様々な構成要素が、別個の構成要素として、およびいくつかの場合には異なる場所における別個の構成要素（すなわちクライアント側におけるラインマネージャ１６、およびサーバー側における広告マネージャ２４）として示されるが、本発明の代替実施形態では、様々な示された構成要素の一部、すべてまたは任意の組合せは、１つまたは様々な構成要素に統合され得る。例えば本発明の一実施形態では、ラインマネージャ１６および広告マネージャ２４は、コンピュータプラットフォーム内に常駐することができ、対応するメモリ記憶機能と共に処理能力だけでなく、安全な有線および／または無線通信をサポートする通信プロトコルおよびインターフェースを含むことができる。これらのインターフェース８８および通信プロトコルの例は図４に示され、イーサネット、８０２．１１ｂおよび８０２．１１ｇ無線プロトコルを含み得るＷｉＦｉ、セルラ接続（登録商標）などを含むことができる。当業者は、これらの接続、インターフェース、および通信プロトコルは、本発明の意図される範囲から逸脱せずに変更または修正され得ることを理解するであろう。本発明の代替実施形態では、本発明の構成要素は、セットトップボックスまたは他のビデオコンテンツプレーヤに統合され得る。
【００２９】
図２は、本発明の実施形態による広告データベースの例示的テーブル構造を示す。図２の実施形態では、ビデオコンテンツのテキストのラインに一意のライン番号が割り当てられる。次いでテキストのラインを表す一意のライン番号は、テキストの特定のラインに関連付けられた隠し広告の番号と相互に関係付けられる。例えば図２の実施形態では、テキストのライン「この車は格好いい」を表すライン番号ｎは、データベースに記憶された３つの隠し広告と相互に関係付けられる。図２の実施形態に示されるように、各隠し広告にはそれぞれのＵｎｉｆｏｒｍ  Ｒｅｓｏｕｒｃｅ  Ｉｄｅｎｔｉｆｉｅｒ（ＵＲＩ）が割り当てられる。図２の実施形態では、テキストのラインがそれぞれの隠し広告に関連付けられた後に、次いでそれぞれの隠し広告は、上述のように関連するテキスト用いた隠し広告に対する要求の後すぐに、表示のために通信され得る。前に述べられたように、広告データベース３８からの関連した隠し広告コンテンツは、クライアントディスプレイの一部分に表示することができる。本発明の代替実施形態では、関連した広告コンテンツはまた、タブレット、ｉＰＡＤ、もしくはスマートフォンのような他のデバイス上、またはそれらの上のウェブページの所定の領域上（図示せず）での表示のために通信され得る。
【００３０】
図３は、本発明の実施形態による隠し広告の方法のフロー図を示す。方法３００はステップ３０２において開始し、その間にビデオコンテンツ内の、俳優の対話などのオーディオ、およびブランドの付いた製品またはサービスなどのビジュアル製品またはサービス表示の少なくとも１つがテキストに変換される。例えば本発明の一実施形態ではキャプションファイル抽出器１８は、ディスプレイデバイス、例えばインターネット上のウェブメディアプレーヤに表示されている、ビデオのビデオストリーム内のクローズドキャプションデータから、独立したキャプションファイルを生成する。ビデオストリーム内にキャプションデータがない場合は、キャプションファイル抽出器１８は、前に識別されたウェブサイトにアクセスしてキャプションデータを取得する。次いでキャプションファイル抽出器１８は、取得されたクローズドキャプションデータから、独立したキャプションファイルを生成する。キャプションファイルが取得された後にライン変換器は、キャプションファイルをラインごとのテキストフォーマットに変換する。次いで方法３００はステップ３０４に進む。
【００３１】
ステップ３０４では、図１の広告データベース３８などの広告データベースは、記憶された隠し広告コンテンツに対する識別子が、ビデオコンテンツ内のテキストに関連付けられているかどうかを決定するために検索される。例えば本発明の一実施形態では、隠し広告コンテンツは、ビデオコンテンツ内のそれぞれのテキストまたはテキストのラインに関連付けられた識別子を用いて記憶され、それにより、テキストまたはテキストのラインに関連付けられた識別子を用いて識別され記憶された隠し広告コンテンツは、表示の手段への配信のために選択される。本発明の一実施形態では、選択された隠し広告は、ビデオコンテンツ内のそれぞれのテキストまたはテキストのラインが再生されるときに、表示のために通信される。ビデオコンテンツ内のテキストが、記憶された隠し広告の識別子に関連付けられていた場合は、方法３００はステップ３０６に進む。ビデオコンテンツ内のテキストが、記憶された隠し広告に対する識別子に関連付けられていない場合は、方法３００は任意選択でステップ３０８に進むことができる。本発明の実施形態によれば、１つよりも多い隠し広告が、特定のテキストまたはテキストのラインに関連付けられ得ることが留意されるべきである。
【００３２】
ステップ３０６では、表示のために、関連する／選択された隠し広告コンテンツを通信するように要求が行われる。例えば本発明の一実施形態では要求は、表示のためにそれぞれの隠し広告をクライアント側に通信するように、隠し広告マネージャ２６によって広告サーバー３６に対して通信される。本発明の一実施形態では隠し広告は、もとのビデオコンテンツを表示するために用いられているディスプレイの、所定の領域に表示される。本発明の代替実施形態では隠し広告は、タブレット、コンピュータ、またはモバイル通信デバイス、または他のディスプレイデバイスなどの、代替ディスプレイ上に表示することができる。次いで方法３００は終了することができる。
【００３３】
任意選択のステップ３０８では、ビデオコンテンツ内の別のテキストサンプルまたはテキストのラインが選ばれる。次いで方法はステップ３０４に戻る。ビデオコンテンツ内の次のテキストまたはテキストのラインに対して関連する識別子が存在しない場合は、ステップ３０８が繰り返される。さらなるテキストまたはテキストのラインが存在しない場合は、方法３００は終了することができる。
【００３４】
本発明の代替実施形態では、方法３００などの本発明の方法はさらに、タイムスタンプをビデオコンテンツのテキストの決定されたラインに関連付けるステップを含むことができる。例えば本発明の一実施形態ではライン同期器２２は、メディアプレーヤインターフェースにアクセスして、ビデオコンテンツのテキストのラインに対するタイムスタンプ情報を取得する。したがってテキストのラインは、ビデオ再生と同期される。このような実施形態では、テキストまたはテキストのラインに関連付けられた隠し広告は、ビデオコンテンツ内のテキストまたはテキストのラインの再生と同時のまたはある相対的な時点での、表示のために通信され得る。
【００３５】
図４は、本発明の代替実施形態による、隠し広告のためのシステムの高水準なブロック図を示す。上記の図１の実施形態は、ライン管理モジュール１６はユーザのコンピュータシステムの一部であるという原則のもとで動作する。図４の実施形態では、セットトップボックス８０はユーザのコンピュータを置き換え、プロセッサー８４、およびメモリ８６、およびライン管理モジュール１６を含む。図４の実施形態ではディスプレイデバイス８２は、任意の適切な公知の接続（例えばＨＤＭＩ（登録商標））を介して、セットトップボックス８０に接続される。ライン管理モジュール１６は、図１の実施形態において上述されたように、プロセッサー８４と共に、マッチした広告（Ａｄ１、Ａｄ２、Ａｄ３など）をユーザの接続されたディスプレイデバイス８２に配信する。
【００３６】
図４の実施形態のようなセットトップボックス実装形態によって、本発明の隠し広告配信のシステムおよび方法は、インターネット上でのビデオ再生に限定されない。したがってそれらはライブ放送（例えばニュース、スポーツなど）、ＤＶＤ、映画、およびコンテンツプロバイダおよび広告主にとって潜在的な広告価値を有する任意のテキストタイプのメディアに対して実施することができる。
【００３７】
図５は、本発明の実施形態による隠し広告のための装置の高水準なブロック図を示す。より具体的には図５は、図１の隠し広告装置の代替実施形態を示し、そこでは図１に示される様々な構成要素の少なくともいくつかの機能は、アプリケーションまたはソフトウェア実装形態を用いて行われる。図５の隠し広告装置は、プロセッサー５１０、ならびに制御プログラム、命令、ソフトウェア、ビデオコンテンツ、および広告コンテンツなどを記憶するためのメモリ５２０を備える。プロセッサー５１０は、電源、クロック回路、キャッシュメモリなど、およびメモリ５２０に記憶されたソフトウェアルーチンの実行において支援する回路などの、従来型のサポート回路５３０と協働する。したがって本明細書でソフトウェアプロセスとして論じられたプロセスステップのいくつかは、例えば様々なステップを行うためにプロセッサー５１０と協働する回路として、ハードウェア内に実装することができる。隠し広告装置はまた、隠し広告装置と通信する様々なそれぞれの機能要素間のインターフェースとなる、入力−出力回路５４０を含む。
【００３８】
図５の隠し広告装置は、本発明による様々な制御機能を行うようにプログラムされた汎用コンピュータとして示されるが、本発明は、例えば特定用途向け集積回路（ＡＳＩＣ）として、ハードウェアにて実施され得る。したがって本明細書で述べられるプロセスステップは、ソフトウェア、ハードウェア、またはそれらの組合せによって等価的に行われるものとして、広く解釈されることが意図される。
【００３９】
隠し広告のための方法、装置、およびシステムの様々な実施形態（これらは説明に役立つことを目的とし、限定するものではない）について述べてきたが、上記の教示に照らして当業者によって変更および変形を行い得ることが留意されるべきである。したがって本発明の特定の実施形態において変更を行うことができ、それらは本発明の範囲および趣旨に含まれることが理解されるべきである。上記は本発明の様々な実施形態を対象とするが、その基本的な範囲から逸脱せずに、本発明の他のおよびさらなる実施形態が考案され得る。
【図１】
2016533673.tif 000003
【図２】
2016533673.tif 000004
【図３】
2016533673.tif 000005
【図４】
2016533673.tif 000006
【図５】
2016533673.tif 000007
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
広告を配信するための方法であって、
ビデオコンテンツ内の、オーディオ、ビジュアル製品表示およびビジュアルサービス表示の少なくとも１つをテキストに変換するステップと、
記憶された広告コンテンツに対する識別子が、前記テキストに関連付けられているかどうかを決定するためにデータベースを検索するステップと、
記憶された広告コンテンツに対する識別子が前記テキストに関連付けられている場合は、表示のために、前記関連付けられ記憶された広告コンテンツの通信を要求するステップと、
を含む、前記方法。
【請求項２】
前記テキストについてのタイムスタンプ情報を取得するステップを含む、請求項１に記載の方法。
【請求項３】
ビデオコンテンツ内の、オーディオ、ビジュアル製品表示およびビジュアルサービス表示の少なくとも１つの表示と同時または相対的な時点における表示のために、前記関連付けられ記憶された広告コンテンツの通信を要求するステップを含む、請求項２に記載の方法。
【請求項４】
前記タイムスタンプ情報は、前記ビデオコンテンツを再生するビデオプレイヤから取得される、請求項２に記載の方法。
【請求項５】
テキストに関連付けられた、それぞれのオーディオ、それぞれのビジュアル製品表示およびそれぞれのビジュアルサービス表示のうちの少なくとも１つが前記ビデオコンテンツ内に提示されているときに、前記データベースは前記テキストに対して検索される、請求項２に記載の方法。
【請求項６】
記憶された広告コンテンツに対する識別子が、前記ビデオコンテンツ内の、特定のオーディオまたは製品もしくはサービス表示に関連するテキストに関連付けられていない場合に、データベースを検索して、記憶された広告コンテンツに対する識別子が、前記ビデオコンテンツ内の他のオーディオまたは製品もしくはサービス表示に関連するテキストに関連付けられているかどうか決定するステップを含む、請求項１に記載の方法。
【請求項７】
クローズドキャプション情報を使用して、前記ビデオコンテンツ内の、オーディオまたは製品もしくはサービス表示をテキストに変換するステップを含む、請求項１に記載の方法。
【請求項８】
インターネットソースから前記クローズドキャプション情報を取得するステップを含む、請求項７に記載の方法。
【請求項９】
前記クローズドキャプション情報は前記ビデオコンテンツに含まれる、請求項７に記載の方法。
【請求項１０】
前記テキストは、ラインテキストフォーマットによるラインを含む、請求項１に記載の方法。
【請求項１１】
隠し広告のための装置であって、
ビデオコンテンツ内の、オーディオ、ビジュアル製品表示およびビジュアルサービス表示の少なくとも１つをテキストに変換するためのラインマネージャと、
記憶された広告コンテンツに対する識別子が、前記テキストに関連付けられているかどうかを決定するためにデータベースを検索し、記憶された広告コンテンツに対する識別子が前記テキストに関連付けられている場合は、表示のために、前記関連付けられ記憶された広告コンテンツの通信を要求するための広告マネージャと、
を含む、前記装置。
【請求項１２】
前記ビデオコンテンツからキャプション情報を抽出するためのキャプションファイル抽出器を含む、請求項１１に記載の装置。
【請求項１３】
異なる種類のキャプションフォーマットをテキストに変換するためのキャプション変換器を含む、請求項１２に記載の装置。
【請求項１４】
前記ビデオコンテンツの前記テキストに対するタイミング情報を獲得するためのライン同期器を含む、請求項１１に記載の装置。
【請求項１５】
前記広告マネージャは、記憶された広告コンテンツに対する識別子が前記テキストに関連付けられているかどうか決定するためのラインマッチャーを含む、請求項１１に記載の装置。
【請求項１６】
広告主が広告コンテンツを操作および制御することを可能にするための広告ポータルを含む、請求項１１に記載の装置。
【請求項１７】
広告コンテンツを記憶するためのデータベースを含む、請求項１１に記載の装置。
【請求項１８】
隠し広告のためのシステムであって、
隠し広告コンテンツを含むビデオコンテンツを提供するためのコンテンツプロバイダと、
少なくともビデオコンテンツを表示するためのディスプレイと、
隠し広告コンテンツを記憶するためのデータベースと、
ビデオコンテンツ内の、オーディオ、ビジュアル製品表示およびビジュアルサービス表示の少なくとも１つをテキストに変換するためのラインマネージャと、
記憶された隠し広告コンテンツに対する識別子が、前記テキストに関連付けられているかどうかを決定するためにデータベースを検索し、記憶された隠し広告コンテンツに対する識別子が前記テキストに関連付けられている場合は、表示のために、前記関連付けられ記憶された隠し広告コンテンツの通信を要求するための広告マネージャと、
を有する装置と、
前記ディスプレイに表示するために、前記関連付けられ記憶された隠し広告コンテンツを通信するための通信サービスと、
を備えた、前記システム。
【請求項１９】
前記ラインマネージャは、インターネットソースからキャプション情報を取得するよう構成された、請求項１８に記載のシステム。
【請求項２０】
前記ラインマネージャは、
キャプションファイルが好ましいファイルフォーマットであるかどうかを決定し、
前記キャプションファイルが前記好ましいファイルフォーマットでないことが決定された場合に、前記キャプションファイルを変換して、テキストフォーマットを生成するように構成された、請求項１８に記載のシステム。
【請求項２１】
隠し広告のための装置であって、
制御プログラムおよび命令、およびビデオコンテンツを記憶するためのメモリと、
前記制御プログラムおよび命令を実行するためのプロセッサーと、
を備え、
前記装置は、
前記ビデオコンテンツ内の、オーディオ、ビジュアル製品表示およびビジュアルサービス表示の少なくとも１つをテキストに変換し、
データベースを検索して、記憶された広告コンテンツのための識別子が前記テキストに関連付けられているか否かを決定し、
記憶された広告コンテンツが前記テキストに関連付けられている場合に、表示のために、前記関連付けられた記憶された広告コンテンツの通信を要求する、
ように構成された、前記装置。
【手続補正２】
【補正対象書類名】明細書
【補正対象項目名】００３９
【補正方法】変更
【補正の内容】
【００３９】
隠し広告のための方法、装置、およびシステムの様々な実施形態（これらは説明に役立つことを目的とし、限定するものではない）について述べてきたが、上記の教示に照らして当業者によって変更および変形を行い得ることが留意されるべきである。したがって本発明の特定の実施形態において変更を行うことができ、それらは本発明の範囲および趣旨に含まれることが理解されるべきである。上記は本発明の様々な実施形態を対象とするが、その基本的な範囲から逸脱せずに、本発明の他のおよびさらなる実施形態が考案され得る。
（付記１）
広告を配信するための方法であって、
ビデオコンテンツ内の、オーディオ、ビジュアル製品表示およびビジュアルサービス表示の少なくとも１つをテキストに変換するステップと、
記憶された広告コンテンツに対する識別子が、前記テキストに関連付けられているかどうかを決定するためにデータベースを検索するステップと、
記憶された広告コンテンツに対する識別子が前記テキストに関連付けられている場合は、表示のために、前記関連付けられ記憶された広告コンテンツの通信を要求するステップと、  を含む、前記方法。
（付記２）
前記テキストについてのタイムスタンプ情報を取得するステップを含む、付記１に記載の方法。
（付記３）
ビデオコンテンツ内の、オーディオ、ビジュアル製品表示およびビジュアルサービス表示の少なくとも１つの表示と同時または相対的な時点における、表示のために前記関連付けられ記憶された広告コンテンツの通信を要求するステップを含む、付記２に記載の方法。
（付記４）
前記タイムスタンプ情報は、前記ビデオコンテンツを再生するビデオプレイヤから取得される、付記２に記載の方法。
（付記５）
テキストに関連付けられた、それぞれのオーディオ、それぞれのビジュアル製品表示およびそれぞれのビジュアルサービス表示のうちの少なくとも１つが前記ビデオコンテンツ内に提示されているときに、前記データベースは前記テキストに対して検索される、付記２に記載の方法。
（付記６）
記憶された広告コンテンツに対する識別子が、前記ビデオコンテンツ内の、特定のオーディオまたは製品もしくはサービス表示に関連するテキストに関連付けられていない場合に、データベースを検索して、記憶された広告コンテンツに対する識別子が、前記ビデオコンテンツ内の他のオーディオまたは製品もしくはサービス表示に関連するテキストに関連付けられているかどうか決定するステップを含む、付記１に記載の方法。
（付記７）
クローズドキャプション情報を使用して、前記ビデオコンテンツ内の、オーディオまたは製品もしくはサービス表示をテキストに変換するステップを含む、付記１に記載の方法。
（付記８）
インターネットソースから前記クローズドキャプション情報を取得するステップを含む、付記７に記載の方法。
（付記９）
前記クローズドキャプション情報は前記ビデオコンテンツに含まれる、付記７に記載の方法。
（付記１０）
前記テキストは、ラインテキストフォーマットによるラインを含む、付記１に記載の方法。
（付記１１）
隠し広告のための装置であって、
ビデオコンテンツ内の、オーディオ、ビジュアル製品表示およびビジュアルサービス表示の少なくとも１つをテキストに変換するためのラインマネージャと、
記憶された広告コンテンツに対する識別子が、前記テキストに関連付けられているかどうかを決定するためにデータベースを検索し、記憶された広告コンテンツに対する識別子が前記テキストに関連付けられている場合は、表示のために、前記関連付けられ記憶された広告コンテンツの通信を要求するための広告マネージャと、
を含む、前記装置。
（付記１２）
前記ビデオコンテンツからキャプション情報を抽出するためのキャプションファイル抽出器を含む、付記１１に記載の装置。
（付記１３）
異なる種類のキャプションフォーマットをテキストに変換するためのキャプション変換器を含む、付記１２に記載の装置。
（付記１４）
前記ビデオコンテンツの前記テキストに対するタイミング情報を獲得するためのライン同期器を含む、付記１１に記載の装置。
（付記１５）
前記広告マネージャは、記憶された広告コンテンツに対する識別子が前記テキストに関連付けられているかどうか決定するためのラインマッチャーを含む、付記１１に記載の装置。
（付記１６）
広告主が広告コンテンツを操作および制御することを可能にするための広告ポータルを含む、付記１１に記載の装置。
（付記１７）
広告コンテンツを記憶するためのデータベースを含む、付記１１に記載の装置。
（付記１８）
隠し広告のためのシステムであって、
隠し広告コンテンツを含むビデオコンテンツを提供するためのコンテンツプロバイダと、
少なくともビデオコンテンツを表示するためのディスプレイと、
隠し広告コンテンツを記憶するためのデータベースと、
ビデオコンテンツ内の、オーディオ、ビジュアル製品表示およびビジュアルサービス表示の少なくとも１つをテキストに変換するためのラインマネージャと、
記憶された隠し広告コンテンツに対する識別子が、前記テキストに関連付けられているかどうかを決定するためにデータベースを検索し、記憶された隠し広告コンテンツに対する識別子が前記テキストに関連付けられている場合は、表示のために、前記関連付けられ記憶された隠し広告コンテンツの通信を要求するための広告マネージャと、
を有する装置と、
前記ディスプレイに表示するために、前記関連付けられ記憶された隠し広告コンテンツを通信するための通信サービスと、
を備えた、前記システム。
（付記１９）
前記ラインマネージャは、インターネットソースからキャプション情報を取得するよう構成された、付記１８に記載のシステム。
（付記２０）
前記マネージャは、
キャプションファイルが好ましいファイルフォーマットであるかどうかを決定し、
前記キャプションファイルが前記好ましいファイルフォーマットでないことが決定された場合に、前記キャプションファイルを変換して、テキストフォーマットを生成するように構成された、付記１８に記載のシステム。
（付記２１）
隠し広告のための装置であって、
制御プログラムおよび命令、およびメディアコンテンツを記憶するためのメモリと、
前記制御プログラムおよび命令を実行するためのプロセッサーと、
を備え、
前記装置は、
前記ビデオコンテンツ内の、オーディオ、ビジュアル製品表示およびビジュアルサービス表示の少なくとも１つをテキストに変換し、
データベースを検索して、記憶された広告コンテンツのための識別子が前記テキストに関連付けられているか否かを決定し、
記憶された広告コンテンツが前記テキストに関連付けられている場合に、表示のために、前記関連付けられた記憶された広告コンテンツの通信を要求する、
ように構成された、前記装置。
【国際調査報告】
2016533673.tif 000008
2016533673.tif 000009